(57)【要約】【課題】  無線環境の変化にも対応できるようなセル識別子の割当てを可能にする。【解決手段】  第１の基地局が構成する第１のセルに割り当てる第１の識別子の候補を記憶するよう構成された記憶部と、前記第１のセルの第１のカバレッジエリアにおける第１の位置と、他の基地局が構成する１以上の第２のセルの第２のカバレッジエリアにおける第２の位置と、の間の第１の距離を測定し、前記第２のセルのうち、前記第１の距離に基づいて決定された第３のセルの第２の識別子を前記候補から除外した後、前記候補から前記第１の識別子を抽出し、前記第１の識別子を前記第１のセルに割り当てるよう構成された制御部と、を有する管理装置。【選択図】      図１
2018157326.tif 000002
【特許請求の範囲】
【請求項１】
第１の基地局が構成する第１のセルに割り当てる第１の識別子の候補を記憶するよう構成された記憶部と、
前記第１のセルの第１のカバレッジエリアにおける第１の位置と、他の基地局が構成する１以上の第２のセルの第２のカバレッジエリアにおける第２の位置と、の間の第１の距離を測定し、
前記第２のセルのうち、前記第１の距離に基づいて決定された第３のセルの第２の識別子を前記候補から除外した後、
前記候補から前記第１の識別子を抽出し、前記第１の識別子を前記第１のセルに割り当てるよう構成された制御部と、を有する
管理装置。
【請求項２】
前記第３のセルは、前記第１の距離が予め設定された閾値よりも小さいセルおよび、前記第１の距離が小さい順に予め設定された数のセルの少なくともいずれかである、請求項１記載の管理装置。
【請求項３】
前記第１の位置は、前記第１のカバレッジエリアの端部に位置し、前記第２の位置は、前記第２のカバレッジエリアの端部に位置する、請求項１または２に記載の管理装置。
【請求項４】
前記制御部は、２以上の前記第１の位置と、１の前記第２のカバレッジエリアにおける
２以上の前記第２の位置と、の間の２以上の前記第１の距離を測定するよう構成され、
前記第３のセルは、前記２以上の前記第１の距離の平均値に基づいて決定される、請求項１乃至３のいずれかに記載の管理装置。
【請求項５】
前記制御部は、２以上の前記第１の位置と、１の前記第２のカバレッジエリアにおける２以上の前記第２の位置と、の間の２以上の前記第１の距離を測定するよう構成され、
前記第３のセルは、前記２以上の前記第１の距離の最小値に基づいて決定される、請求項１乃至４のいずれかに記載の管理装置。
【請求項６】
前記制御部は、前記第１の基地局および前記他の基地局の少なくともいずれかのアンテナ情報に基づいて、前記第１のカバレッジエリアおよび前記第２のカバレッジエリアの少なくともいずれかを特定するよう構成された、請求項１乃至５のいずれかに記載の管理装置。
【請求項７】
前記制御部は、障害情報に基づいて、前記第１の距離を測定するよう構成された、請求項１乃至６のいずれかに記載の管理装置。
【請求項８】
前記制御部は、前記第１のカバレッジエリアおよび前記第２のカバレッジエリアを格子からなる単位セルに分割し、
前記第１のカバレッジエリアにおける前記格子の前記交点と、前記第２のカバレッジエリアにおける前記格子の前記交点との間の第１の距離をそれぞれ測定するよう構成された、請求項１乃至７のいずれかに記載の管理装置。
【請求項９】
前記識別子はＰＣＩ（Ｐｈｙｓｉｃａｌ  Ｃｅｌｌ  Ｉｄｅｎｔｉｆｉｅｒ）である、
請求項１乃至８のいずれかに記載の管理装置。
【請求項１０】
請求項１乃至９のいずれかに記載の前記管理装置を有する、
無線基地局。
【発明の詳細な説明】
【技術分野】
【０００１】
本発明は、管理装置および無線基地局に関する。
【背景技術】
【０００２】
無線通信システムにおいて、基地局から電波の届くエリア範囲をセルと呼ぶ。移動端末は、セルに割り当てられた識別子を用いて、通信する基地局のセルを識別する。この識別子としては、例えばＰＣＩ（Ｐｈｙｓｉｃａｌ  Ｃｅｌｌ  Ｉｄｅｎｔｉｆｉｅｒ）、ＥＣＧＩ（Ｅ−ＵＴＲＡＮ  Ｃｅｌｌ  Ｇｌｏｂａｌ  Ｉｄｅｎｔｉｆｉｅｒ）がある。ＰＣＩは、電波送信パターンに対して割り振られた番号であり、通常は０〜５０３までの５０４通りある。ＥＣＧＩはセルを唯一に識別する識別子である。またセルにはＥＡＲＦＣＮ（Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）が割り当てられる。ＥＡＲＦＣＮは無線リソースの１つであり、セルが使用する周波数に対応する。
【０００３】
セルの識別子の数が多いほど、必要となる電波リソースが多くなる。その一方で、例えば近隣するセル同士でＰＣＩが重複した場合には以下の問題が生じる。１つ目の問題は、ＰＣＩ衝突である。ＰＣＩ衝突とは、同じＰＣＩを持つセル同士でカバレッジが重複する場合に、移動端末が接続中のセルとの通信中に、そのセルのＰＣＩと同じＰＣＩを持つ近隣のセルからも電波を受けることによって干渉が生じてしまう問題である。２つ目の問題は、ＰＣＩ混同である。ＰＣＩ混同は、あるセルとカバレッジが重複する他の複数のセル同士が同じＰＣＩを持っている場合に生じる。例えばＰＣＩ混同が生じることによって、同じＰＣＩを持つ他の複数のセル同士が互いに正しく識別されなければ、移動端末がハンドオーバーすべきセルへハンドオーバーできないという問題が生じる。
【０００４】
よって、セルへＰＣＩを割り振る際には、このような問題を考慮しながら限られた無線リソースを使用する必要がある。
【０００５】
特許文献１および特許文献２には、基地局制御装置ＥＭＳが、ＰＣＩ衝突やＰＣＩ混同が起こらないようなＰＣＩを選択して基地局のセルに設定することが記載されている。これら文献では、ＥＭＳがセルにＰＣＩを設定する際に、ＰＣＩを設定する対象のセルの隣接セルや、隣接セルの他の隣接セルに割り当てられているＰＣＩを選択しないようにすることが記載されている。
【先行技術文献】
【特許文献】
【０００６】
【特許文献１】特開２０１３−２１４５０
【特許文献２】特開２０１５−５１２１６１
【発明の概要】
【発明が解決しようとする課題】
【０００７】
ここで、セルにＰＣＩを割り当てた後に、例えばセルのカバレッジエリアなどの無線環境が変化する場合がある。このような場合にも、基地局のセルに設定するＰＣＩとして、ＰＣＩ衝突やＰＣＩ混同が起こらないようなＰＣＩを選択する必要がある。
【課題を解決するための手段】
【０００８】
そこで本発明における管理装置は、第１の基地局が構成する第１のセルに割り当てる第１の識別子の候補を記憶するよう構成された記憶部と、前記第１のセルの第１のカバレッジエリアにおける第１の位置と、他の基地局が構成する１以上の第２のセルの第２のカバレッジエリアにおける第２の位置と、の間の第１の距離を測定し、前記第２のセルのうち、前記第１の距離に基づいて決定された第３のセルの第２の識別子を前記候補から除外した後、前記候補から前記第１の識別子を抽出し、前記第１の識別子を前記第１のセルに割り当てるよう構成された制御部と、を有することを特徴としている。
【発明の効果】
【０００９】
本発明の側面によれば、無線環境の変化にも対応できるようなセル識別子の割当てを可能とする。
【図面の簡単な説明】
【００１０】
【図１】本発明の実施形態に係る通信システムの構成の一例を示すブロック図
【図２】本発明の実施形態に係る管理装置の一例を示すブロック図
【図３】本発明の実施形態に係る動作を示す、フローチャート
【図４】本発明の実施形態に係るセルの配置関係を示すイメージ図
【図５】本発明の実施形態に係るセル間の距離を示すイメージ図
【図６】本発明の実施形態に係る動作を示す、フローチャート
【図７】本発明の実施形態に係るセルの配置関係を示すイメージ図
【図８】本発明の実施形態に係るセル間の距離を示すイメージ図
【発明を実施するための形態】
【００１１】
以下、本発明の実施の形態について図面を参照して詳細に説明する。
【００１２】
（第１の実施形態）
図１は、本発明の実施形態に係る通信システムの構成の一例を示すブロック図である。本実施形態の通信システムは、ＮＭＳ（Ｎｅｔｗｏｒｋ  Ｍａｎａｇｅｍｅｎｔ  Ｓｙｓｔｅｍ）１、ＥＭＳ（Ｅｌｅｍｅｎｔ  Ｍａｎａｇｅｍｅｎｔ  Ｓｙｓｔｅｍ）２１、２２、基地局３１〜３ｍおよび、基地局３１〜３ｍがそれぞれ構成するセル４１〜４ｍを有する。なお、１つの基地局が複数のセルを構成していてもよい。ＮＭＳ１は、ネットワーク、例えばＬＴＥ（Ｌｏｎｇ  Ｔｅｒｍ  Ｅｖｏｌｕｔｉｏｎ）ネットワーク全体を管理する管理システムである。ＥＭＳ２１、２２は、複数の基地局を管理する管理システムである。基地局３１〜３ｍは、ｅＮＢ（ｅＮｏｄｅ  Ｂ）やＨｅＮＢ（Ｈｏｍｅ  ｅＮｏｄｅ  Ｂ）であってもよい。この中でもｅＮｏｄｅＢは、Ｃｅｎｔｒａｌｉｚｅｄ  Ｒａｄｉｏ  Ａｃｃｅｓｓ  Ｎｅｔｗｏｒｋ（Ｃ−ＲＡＮ）アーキテクチャで使用されるＢａｓｅｂａｎｄ  Ｕｎｉｔ（ＢＢＵ）であってもよい。言い換えると、ｅＮｏｄｅＢは、１又は複数のＲｅｍｏｔｅ  Ｒａｄｉｏ  Ｈｅａｄ（ＲＲＨ）に接続されるＲＡＮ（Ｒａｄｉｏ  Ａｃｃｅｓｓ  Ｎｅｔｗｏｒｋ）ノードであってもよい。
【００１３】
本実施形態の通信システムは、ＳＯＮ（Ｓｅｌｆ−Ｏｒｇａｎｉｚｉｎｇ  Ｎｅｔｗｏｒｋ）機能を持つネットワークであってもよい。当該ネットワークは、ＳＯＮ機能がＯＡＭ（Ｏｐｅｒａｔｉｏｎ  Ａｄｉｍｉｎｉｓｔｒａｔｉｏｎ  ａｎｄ  Ｍａｉｎｔｅｎａｎｃｅ）Ｓｙｓｔｅｍに存在するＣｅｎｔｒａｌｉｚｅｄ  ＳＯＮであってもよいし、ＳＯＮ機能が基地局に存在するＤｉｓｔｒｉｂｕｔｅｄ  ＳＯＮであってもよい。また以下の実施形態は、例えば上述したＰＣＩ衝突やＰＣＩ混同が検出されたなどの理由によってセルへの識別子の再割り当てが必要になった場合や、セルの新規設置によって初期の識別子の割り当てが必要になった場合など、いずれの場合にも適用することができる。
【００１４】
図２に、本実施形態における管理装置５の構成を示す。管理装置５は、受信部５１、送信部５２、制御部５３、記憶部５４を有する。管理装置５は、ＮＭＳ１、ＥＭＳ２１、２２、基地局３１〜３ｍのいずれに配置されていてもよい。
【００１５】
次に、本実施形態における動作について、図３のフローチャートを用いて説明する。
【００１６】
まず管理装置５における制御部５３は、セルに割り当てるための識別子に関する候補リストを作成する（ステップＳ１１）。記憶部５４は、当該識別子の候補リストを記憶する。当該識別子としては、上述したＰＣＩ等があげられるが、これに限定されない。ステップＳ１１における当該識別子に関する候補リストには、例えば割り当て可能なＰＣＩ（例えば番号０〜５０３で識別されるＰＣＩ）が全て含まれていてもよい。
【００１７】
制御部５３は、第１の基地局３１が構成する第１のセル４１の第１のカバレッジエリアおよび、他の基地局が構成する１以上の第２のセルのカバレッジエリアを特定する。他の基地局とは、基地局３２〜３ｍの少なくともいずれかであってもよい。なお制御部５３は、セルを構成する基地局のアンテナ情報に基づいてカバレッジエリアを特定してもよい。アンテナ情報とは例えば、アンテナの種類、アンテナの数、アンテナの位置や方向、またはアンテナから送信された電波強度であってもよい。異なるアンテナ情報によってカバレッジエリアが異なる場合があるため、アンテナ情報を用いることによってカバレッジエリアの特定の精度を向上させることができる。
【００１８】
とりわけ管理装置５が基地局に設置される場合には、基地局３１〜３ｍのいずれかが、特定されたカバレッジエリアに関する情報を取得することとしてもよい。具体的には基地局３１〜３ｍはセルのカバレッジエリアに関する情報を、ＮＭＳ１、ＥＭＳ２１またはＥＭＳ２２、もしくは自身以外の基地局から受信してもよい。また基地局３１〜３ｍは、自身の構成するセルまたは自身以外の基地局が構成するセルのカバレッジエリアを測定することによって、セルのカバレッジエリアに関する情報を取得してもよい。
【００１９】
次に制御部５３は、第１のカバレッジエリアにおける第１の位置と、１以上の第２のセルの第２のカバレッジエリアにおける第２の位置との間の第１の距離を測定する（ステップＳ１２）。
【００２０】
図４に、本実施形態に係るセルの配置関係を示す。図４に示すように、第１のセル４１は第１のカバレッジエリアＰ１を有する。第１のセル４１の周辺には、第２のカバレッジエリアＰ２〜Ｐ１４をそれぞれ有する第２のセル４２〜４１４が構成されている。第１の距離は、第１のカバレッジエリアＰ１における第１の位置Ａ１と、Ｐ２〜Ｐ１４のうち少なくともいずれかである第２のカバレッジエリアにおける第２の位置Ａ２〜Ａ１４の間の距離である。
【００２１】
図５に示すように第１の距離は、第１のカバレッジエリアＰ１における任意の位置Ａ１１と、第２のセル４ｎが構成する第２のカバレッジエリアＰｎにおける任意の位置Ａｎ１との間の距離Ｄ１（Ａ１１、Ａｎ１）であってもよい。また図４に示すように第１の距離は、第１のカバレッジエリアＰ１の端部の位置Ａ１２と、第２のセル４ｎが構成する第２のカバレッジエリアＰｎの端部の位置Ａｎ１との間の距離Ｄ２（Ａ１２、Ａｎ２）であってもよい。
【００２２】
なお制御部５３は、カバレッジエリア内や、カバレッジエリア間に存在する障害情報に基づいて第１の距離を測定してもよい。障害情報とは例えば、建物の高さや面積、森林の有無や密度等であり、電波の伝送の障害となり得るあらゆる事象を指す。制御部５３はこの障害情報に基づいて、第１の距離をＡ１１とＡｎ１との間の直線距離よりも長い距離としてもよい。
【００２３】
続いて制御部５３は第１の距離に基づいて、ステップＳ１１で作成した識別子に関する候補リストから除外すべき、第３のセルの第２の識別子を決定する。第２の識別子は、例えば第１の距離が予め設定された閾値よりも小さいセルに割り当てられている識別子であってもよいし、第１の距離が小さい順に予め設定された数のセルが有する識別子であってもよい。
【００２４】
なお制御部５３は、２以上の第１の位置と、１の第２のカバレッジエリアにおける２以上の第２の位置と、の間の２以上の第１の距離を測定し、第１の距離の平均値または最小値の少なくともいずれかに基づいて第２の識別子が割り当てられているセルを決定してもよい。すなわち第２の識別子は、第１の距離の平均値または最小値が予め設定された閾値よりも小さいセルに割り当てられている識別子であってもよいし、第１の距離の平均値または最小値が小さい順に予め設定された数のセルに割り当てられている識別子であってもよい。
【００２５】
そして制御部５３は、ステップＳ１１で作成した識別子に関する候補リストから第２の識別子を除外する（ステップＳ１３）。
【００２６】
制御部５３は、ステップＳ１３の実行後における識別子に関する候補リストから、第１のセル４１に割り当てる第１の識別子を抽出する（ステップＳ１４）。そして抽出した第１の識別子を第１のセル４１に割り当てる（ステップＳ１５）。
【００２７】
ここで管理装置５が基地局に設置される場合には、基地局３１が、自身が構成する第１のセル４１に割り当てる識別子を決定してもよい。また、他の基地局３２〜３ｍが第１のセル４１に割り当てる識別子を決定してもよい。
【００２８】
本実施形態によれば、例えば無線環境が変化してセルのカバレッジが変化した場合にも、第１のセルに割り当てた識別子が周辺に位置するセルに割り当てられた識別子と重複するおそれを抑制することが可能となる。
【００２９】
（第２の実施形態）
第２の実施形態を、図６のフロー図で示す。本実施形態においては、ステップＳ２２が行われる以外は第１の実施形態と同様である。
【００３０】
本実施形態における記憶部５４は、第１のセル４１のＮｅｉｇｈｂｏｒ  Ｉｎｆｏｒｍａｔｉｏｎに関する隣接セルリストを記憶している。本実施形態における制御部５３は、記憶部４３から隣接セルリストを読み込むよう構成されている。
【００３１】
ステップＳ２１は、第１の実施形態におけるステップＳ１１と同様である。ステップＳ２２において制御部５３は、記憶部５４が記憶している識別子に関する候補リストから、隣接セルリストに基づいて識別子を除外する。このステップＳ２２の具体的な動作について、以下に説明する。
【００３２】
図７に、セル４１〜４１６までのセル間のＮｅｉｇｈｂｏｒ  Ｉｎｆｏｒｍａｔｉｏｎの関係を示す。図７において、矢印のない実線で結ばれたセル同士は、双方のセルのＮｅｉｇｈｂｏｒ  Ｉｎｆｏｒｍａｔｉｏｎに互いのセルが含まれている。矢印のついた実線で結ばれたセルは、矢印が出ている元のセルのＮｅｉｇｈｂｏｒ  Ｉｎｆｏｒｍａｔｉｏｎには矢印が向かう先のセルが含まれているが、矢印が向かう先のセルのＮｅｉｇｈｂｏｒ  Ｉｎｆｏｒｍａｔｉｏｎには矢印が出ている元のセルが含まれない。実線で結ばれていないセル同士は、双方のセルのＮｅｉｇｈｂｏｒ  Ｉｎｆｏｒｍａｔｉｏｎのいずれにおいても他方のセルが含まれていない。
【００３３】
はじめに制御部５３は、識別子に関する候補リストから、第１のセル４１のＮｅｉｇｈｂｏｒ  Ｉｎｆｏｒｍａｔｉｏｎに含まれるセルに割り当てられている識別子を除外する。例えばセル４１のＮｅｉｇｈｂｏｒ  Ｉｎｆｏｒｍａｔｉｏｎにはセル４２、４４、４５、４９、４１０が含まれているため、制御部５３はセル４２、４４、４５、４９、４１０に割り当てられている識別子を除外する（ステップＳ２２１）。
【００３４】
また制御部５３は、識別子に関する候補リストから、Ｎｅｉｇｈｂｏｒ  Ｉｎｆｏｒｍａｔｉｏｎに第１のセル４１を含むセルに割り当てられている識別子を除外する。例えばセル４２のＮｅｉｇｈｂｏｒ  Ｉｎｆｏｒｍａｔｉｏｎにはセル４１が含まれているため、制御部５３は、セル４２を除外する（ステップＳ２２２）。またセル４４、４５、４１０、４１２のＮｅｉｇｈｂｏｒ  Ｉｎｆｏｒｍａｔｉｏｎにもセル４１が含まれているため、制御部５３は、セル４４、４５、４１０、４１２も除外する。
【００３５】
そして制御部５３は、識別子に関する候補リストから、第１のセル４１を含むＮｅｉｇｈｂｏｒ  Ｉｎｆｏｒｍａｔｉｏｎに含まれているセルに割り当てられている識別子を除外する。例えばセル４２のＮｅｉｇｈｂｏｒ  Ｉｎｆｏｒｍａｔｉｏｎにはセル４１、４４が含まれているため、制御部５３はセル４４を除外する。制御部５３がセル４１をも除外するかについては任意である。同様に、セル４４、４５、４１０、４１２のＮｅｉｇｈｂｏｒ  Ｉｎｆｏｒｍａｔｉｏｎにもセル４１が含まれているため、制御部５３は、セル４４のＮｅｉｇｈｂｏｒ  Ｉｎｆｏｒｍａｔｉｏｎに含まれているセル４２、４１２と、セル４５のＮｅｉｇｈｂｏｒ  Ｉｎｆｏｒｍａｔｉｏｎに含まれているセル４６、４７、４１０、４１２、４１３と、セル４１０のＮｅｉｇｈｂｏｒ  Ｉｎｆｏｒｍａｔｉｏｎに含まれているセル４５、４６、４１１と、セル４１２のＮｅｉｇｈｂｏｒ  Ｉｎｆｏｒｍａｔｉｏｎに含まれているセル４４、４５、４１３を除外する（ステップＳ２２３）。
【００３６】
このようにステップＳ２２１〜Ｓ２２３を用いて、制御部５３が隣接セルリストに基づいて識別子に関する候補リストから識別子を除外する方法を段階的に説明したが、ステップＳ２２１〜Ｓ２２３のすべてが行われる必要はなく、いずれかのみが行われてもよい。
【００３７】
この後ステップＳ２３〜Ｓ２６において、第１の実施形態において説明したステップＳ１２〜Ｓ１５が行われる。
【００３８】
本実施形態によれば、セル間の距離だけでなく隣接セルの情報にも基づいて第１のセルに割り当てる識別子を決定することができる。すなわち本実施形態ではセル間の距離だけに基づいて識別子を決定する場合と比較して、第１のセルに割り当てた識別子が周辺に位置するセルに割り当てられた識別子と重複するおそれを抑制する効果を高めることが可能となる。
【００３９】
（第３の実施形態）
第３の実施形態は、第１の実施形態のステップＳ１２において説明した第１の距離の測定方法を具体化したものである。
【００４０】
本実施形態においては、距離を測定する対象のセルのカバレッジエリアをそれぞれ、例えば図８に示すような格子状のエリアに分割する。
【００４１】
本実施形態における第１の距離は、図８に示すように第１のカバレッジエリアＰ１における格子の任意の交点Ａ１１１と、第２のセル４ｎが構成する第２のカバレッジエリアＰｎにおける格子の任意の交点Ａｎ１１との間の距離Ｄ３（Ａ１１１、Ａｎ１１）であってもよい。制御部５３は、第１のカバレッジエリアＰ１における格子の任意の交点と、第２のカバレッジエリアＰｎにおける格子の任意の交点との間の第１の距離を繰り返し測定し、それらの値の最小値または平均値の少なくともいずれかに基づいて、第２の識別子が割り当てられているセルを決定することとしてもよい。こうすることで、制御部５３は第１のカバレッジエリアＰ１と第２のカバレッジエリアＰｎの間の距離を網羅的に測定し、セル間の距離の測定の精度を向上させることができる。なお本実施形態においても、制御部５３は障害情報に基づいて第１の距離を測定してもよい。
【００４２】
本実施形態において、第１の距離の測定方法以外は第１の実施形態と同様である。
【００４３】
本実施形態によれば、高い精度でセル間の距離を測定し、セルに割り当てる識別子を決定することができる。
【００４４】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【００４５】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。
【００４６】
また、本明細書において説明した基地局は、例えば、通信処理部、要求部、情報取得部、及び／又は報告部等の構成要素を備えるものであってもよい。さらに、これらの構成要素を備えるモジュール（例えば、基地局装置、又は基地局装置のためのモジュール）が提供されてもよい。また、当該構成要素の処理を含む方法が提供されてもよく、当該構成要素の処理をプロセッサに実行させるためのプログラムが提供されてもよい。また、当該プログラムを記録した記録媒体が提供されてもよい。当然ながら、このようなモジュール、方法、プログラム及び記録媒体も本発明に含まれる。
【００４７】
また、本明細書において説明した移動端末は、例えば、ＲＦ（Ｒａｄｉｏ  Ｆｒｅｑｕｅｎｃｙ）トランシーバ、アンテナ、ベースバンドプロセッサ、アプリケーションプロセッサ、およびメモリ等の構成要素を有するものであってもよい。
【００４８】
ＲＦトランシーバ（ＲＦ）トランシーバは、基地局と通信するためにアナログＲＦ信号処理を行う。ＲＦトランシーバにより行われるアナログＲＦ信号処理は、周波数アップコンバージョン、周波数ダウンコンバージョン、及び増幅を含むものであってもよい。ＲＦトランシーバは、アンテナ及びベースバンドプロセッサと結合されるものであってもよい。すなわち、ＲＦトランシーバは、変調シンボルデータ（又はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルデータ）をベースバンドプロセッサから受信し、送信ＲＦ信号を生成し、送信ＲＦ信号をアンテナに供給してもよい。また、ＲＦトランシーバは、アンテナによって受信された受信ＲＦ信号に基づいてベースバンド受信信号を生成し、これをベースバンドプロセッサに供給してもよい。
【００４９】
ベースバンドプロセッサは、無線通信のためのデジタルベースバンド信号処理（データプレーン処理）とコントロールプレーン処理を行う。デジタルベースバンド信号処理は、（ａ） データ圧縮／復元、（ｂ）データのセグメンテーション／コンカテネーション、（ｃ）伝送フォーマット（伝送フレーム）の生成／分解、（ｄ）伝送路符号化／復号化、（ｅ）変調（シンボルマッピング）／復調、及び（ｆ）Ｉｎｖｅｒｓｅ  Ｆａｓｔ  Ｆｏｕｒｉｅｒ  Ｔｒａｎｓｆｏｒｍ（ＩＦＦＴ）によるＯＦＤＭシンボルデータ（ベースバンドＯＦＤＭ信号）の生成等を含むものであってもよい。一方、コントロールプレーン処理は、レイヤ１（ｅ．ｇ．，送信電力制御）、レイヤ２（ｅ．ｇ．，無線リソース管理、及びｈｙｂｒｉｄ  ａｕｔｏｍａｔｉｃ  ｒｅｐｅａｔ  ｒｅｑｕｅｓｔ（ＨＡＲＱ）処理）、及びレイヤ３（ｅ．ｇ．，アタッチ、モビリティ、及び通話管理に関するシグナリング）の通信管理を含でもよい。
【００５０】
例えば、ＬＴＥ及びＬＴＥ−Ａｄｖａｎｃｅｄの場合、ベースバンドプロセッサによるデジタルベースバンド信号処理は、ＰＤＣＰ（Ｐａｃｋｅｔ  Ｄａｔａ  Ｃｏｎｖｅｒｇｅｎｃｅ  Ｐｒｏｔｏｃｏｌ）レイヤ、ＲＬＣ（Ｒａｄｉｏ  Ｌｉｎｋ  Ｃｏｎｔｒｏｌ）レイヤ、ＭＡＣ（Ｍｅｄｉｕｍ  Ａｃｃｅｓｓ  Ｃｏｎｔｒｏｌ）レイヤ、およびＰＨＹ（Ｐｈｙｓｉｃａｌ）レイヤの信号処理を含んでもよい。また、ベースバンドプロセッサ２００３によるコントロールプレーン処理は、ＮＡＳ（Ｎｏｎ−Ａｃｃｅｓｓ  Ｓｔｒａｔｕｍ）プロトコル、ＲＲＣ（Ｒａｄｉｏ  Ｒｅｓｏｕｒｃｅ  Ｃｏｎｔｒｏｌ）プロトコル、及びＭＡＣ  ＣＥ（ＭＡＣ  Ｃｏｎｔｒｏｌ  Ｅｌｅｍｅｎｔ）の処理を含んでもよい。
【００５１】
ベースバンドプロセッサは、デジタルベースバンド信号処理を行うモデム・プロセッサ（ｅ．ｇ．，ＤＳＰ（Ｄｉｇｉｔａｌ  Ｓｉｇｎａｌ  Ｐｒｏｃｅｓｓｏｒ））とコントロールプレーン処理を行うプロトコルスタック・プロセッサ（ｅ．ｇ．，ＣＰＵ（Ｃｅｎｔｒａｌ  Ｐｒｏｃｅｓｓｉｎｇ  Ｕｎｉｔ）、またはＭＰＵ（Ｍｉｃｒｏ  Ｐｒｏｃｅｓｓｉｎｇ  Ｕｎｉｔ））を含んでもよい。この場合、コントロールプレーン処理を行うプロトコルスタック・プロセッサは、後述するアプリケーションプロセッサと共通化されてもよい。
【００５２】
アプリケーションプロセッサは、ＣＰＵ、ＭＰＵ、マイクロプロセッサ、又はプロセッサコアとも呼ばれる。アプリケーションプロセッサは、複数のプロセッサ（複数のプロセッサコア）を含んでもよい。アプリケーションプロセッサは、メモリ又は図示されていないメモリから読み出されたシステムソフトウェアプログラム（ＯＳ（Ｏｐｅｒａｔｉｎｇ  Ｓｙｓｔｅｍ））及び様々なアプリケーションプログラム（例えば、通話アプリケーション、ＷＥＢブラウザ、メーラ、カメラ操作アプリケーション、音楽再生アプリケーション）を実行することによって、移動端末の各種機能を実現する。
【００５３】
いくつかの実装において、ベースバンドプロセッサ及びアプリケーションプロセッサは、１つのチップ上に集積されてもよい。言い換えると、ベースバンドプロセッサ及びアプリケーションプロセッサは、１つのＳｏＣ（Ｓｙｓｔｅｍ  ｏｎ Ｃｈｉｐ）デバイスとして実装されてもよい。ＳｏＣデバイスは、システムＬＳＩ（Ｌａｒｇｅ  Ｓｃａｌｅ  Ｉｎｔｅｇｒａｔｉｏｎ）またはチップセットと呼ばれることもある。
【００５４】
メモリは、揮発性メモリ若しくは不揮発性メモリ又はこれらの組合せである。メモリは、物理的に独立した複数のメモリデバイスを含んでもよい。揮発性メモリは、例えば、ＳＲＡＭ（Ｓｔａｔｉｃ  Ｒａｎｄｏｍ  Ａｃｃｅｓｓ  Ｍｅｍｏｒｙ）若しくはＤＲＡＭ（Ｄｙｎａｍｉｃ  ＲＡＭ）又はこれらの組み合わせである。不揮発性メモリは、マスクＭＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、フラッシュメモリ、若しくはハードディスクドライブ、又はこれらの任意の組合せである。例えば、メモリは、ベースバンドプロセッサ、アプリケーションプロセッサ、及びＳｏＣからアクセス可能な外部メモリデバイスを含んでもよい。メモリは、ベースバンドプロセッサ内、アプリケーションプロセッサ内、又はＳｏＣ内に集積された内蔵メモリデバイスを含んでもよい。さらに、メモリは、ＵＩＣＣ（Ｕｎｉｖｅｒｓａｌ  Ｉｎｔｅｇｒａｔｅｄ  Ｃｉｒｃｕｉｔ  Ｃａｒｄ）内のメモリを含んでもよい。
【００５５】
メモリは、上述の複数の実施形態で説明された移動端末による処理を行うための命令群およびデータを含むソフトウェアモジュール（コンピュータプログラム）を格納してもよい。いくつかの実装において、ベースバンドプロセッサ又はアプリケーションプロセッサは、当該ソフトウェアモジュールをメモリから読み出して実行することで、上述の実施形態で説明された移動端末の処理を行うよう構成されてもよい。
【符号の説明】
【００５６】
１    ＮＭＳ
２１、２２    ＥＭＳ
３１〜３ｍ    基地局
４１〜４ｍ    セル
５    管理装置
５１    受信部
５２    送信部
５３    制御部
５４    記憶部
【図１】
2018157326.tif 000003
【図２】
2018157326.tif 000004
【図３】
2018157326.tif 000005
【図４】
2018157326.tif 000006
【図５】
2018157326.tif 000007
【図６】
2018157326.tif 000008
【図７】
2018157326.tif 000009
【図８】
2018157326.tif 000010